(57)【要約】      （修正有）【課題】受信機制限ＵＥから受信された信号品質測定値に基づいて、１つまたは複数のセルを動的に構成する方法を提供する。【解決手段】キャリアアグリゲーション（ＣＡ）モードで動作することが可能な受信機制限ユーザ機器（ＵＥ）のすべてのアンテナから、信号品質測定値を受信するための手段と、受信された信号品質測定値に少なくとも部分的に基づいて、前記ＵＥの１次セル（Ｐｃｅｌｌ）または２次セル（Ｓｃｅｌｌ）のうちの少なくとも１つを動的に構成するための手段を備える。【選択図】図７
2018137795.tif 000002
【特許請求の範囲】
【請求項１】
キャリアアグリゲーション（ＣＡ）モードで動作することが可能な受信機制限ユーザ機器（ＵＥ）のすべてのアンテナから、信号品質測定値を受信することと、ここにおいて、前記受信機制限ＵＥの受信機の数が、前記ＵＥのアンテナの数よりも少ないかまたはそれに等しく、
前記受信された信号品質測定値に少なくとも部分的に基づいて、前記ＵＥの１次セル（Ｐｃｅｌｌ）または２次セル（Ｓｃｅｌｌ）のうちの少なくとも１つを動的に構成することとを備える、ワイヤレス通信のための方法。
【請求項２】
前記信号品質測定値を受信することは、
前記Ｓｃｅｌｌが構成されたとき、前記ＵＥから前記Ｐｃｅｌｌのための第１のランク報告を受信すること、ここにおいて、前記第１のランク報告が、前記Ｐｃｅｌｌの報告されたランクを含み、を備え、
ここにおいて、前記動的に構成することは、前記Ｐｃｅｌｌの前記報告されたランクが、前記ＵＥにおけるアンテナの前記数に等しいとき、前記Ｓｃｅｌｌを非アクティブ化することと、前記Ｐｃｅｌｌ上での多入力多出力（ＭＩＭＯ）動作のために前記ＵＥを構成することとを備える、請求項１に記載の方法。
【請求項３】
前記Ｐｃｅｌｌのための後で報告されたランクが、前記第１のランク報告中の前記Ｐｃｅｌｌの前記報告されたランクと比較して、より低い値に低下するとき、より低次のＭＩＭＯ動作のために前記ＵＥを構成することと、前記Ｓｃｅｌｌをアクティブ化することとをさらに備える、請求項２に記載の方法。
【請求項４】
動的に構成することが、
送信時間間隔（ＴＴＩ）レベルにおいて、前記Ｓｃｅｌｌのアクティブ化または非アクティブ化のうちの少なくとも１つをスケジュールすることを備える、請求項１に記載の方法。
【請求項５】
前記信号品質測定値を受信することは、
前記Ｓｃｅｌｌが構成されたとき、前記ＵＥから前記Ｐｃｅｌｌのための第１のランク報告を受信することと、ここにおいて、前記第１のランク報告が前記Ｐｃｅｌｌの報告されたランクを含み、
前記ＵＥから前記Ｓｃｅｌｌのための第２のランク報告を受信することと、ここにおいて、前記第２のランク報告が前記Ｓｃｅｌｌの報告されたランクを含み、を備え、
ここにおいて、前記動的に構成することは、前記Ｓｃｅｌｌのための前記報告されたランクが前記ＵＥにおけるアンテナの前記数に等しいとき、ＣＡを非アクティブ化することと、前記Ｓｃｅｌｌ上での多入力多出力（ＭＩＭＯ）動作のために、前記ＵＥを前記Ｓｃｅｌｌにハンドオーバすることとを備える、請求項１に記載の方法。
【請求項６】
前記Ｓｃｅｌｌの後で報告されたランクが、前記第２のランク報告中の前記Ｓｃｅｌｌの前記報告されたランクと比較して、より低い値に低下するとき、より低次のＭＩＭＯ動作のために前記ＵＥを構成することと、ＣＡをアクティブ化することとをさらに備える、請求項５に記載の方法。
【請求項７】
ＵＥカテゴリーおよび多入力多出力（ＭＩＭＯ）能力に少なくとも部分的に基づいて、前記受信機制限ＵＥを検出することをさらに備える、請求項１に記載の方法。
【請求項８】
前記受信機制限ＵＥが、カテゴリー５またはより高いＵＥであり、各ＣＡ帯域統合について、最大２×２ＭＩＭＯサポートを報告する、請求項７に記載の方法。
【請求項９】
ワイヤレス通信ネットワークにおいて１次セル（Ｐｃｅｌｌ）および２次セル（Ｓｃｅｌｌ）のためのランクを決定するための方法であって、前記方法が、
第１の時間間隔において、第１のアンテナセットを使用して、前記Ｐｃｅｌｌ中の基準信号をサンプリングし、第２のアンテナセットを使用して前記Ｓｃｅｌｌ中の基準信号をサンプリングすることと、
第２の時間間隔において、前記サンプリングするステップを繰り返すことと、
それぞれ、前記Ｐｃｅｌｌおよび前記Ｓｃｅｌｌのためのランクを決定するために、前記第１の時間間隔および前記第２の時間間隔からの、前記サンプリングされた基準信号を統合することと、
前記Ｐｃｅｌｌおよび前記Ｓｃｅｌｌの前記決定されたランクを、前記ネットワークに報告することとを備える、方法。
【請求項１０】
前記方法がキャリアアグリゲーション（ＣＡ）モードでユーザ機器（ＵＥ）によって実行される、請求項９に記載の方法。
【請求項１１】
前記方法が、前記ネットワークによってスケジュールされる測定ギャップを有しない、ユーザ機器（ＵＥ）によって実行される、請求項９に記載の方法。
【請求項１２】
前記第２の時間間隔において、前記サンプリングするステップを繰り返すことが、
前記第２のアンテナセットを使用して、前記Ｐｃｅｌｌ中の前記基準信号をサンプリングし、前記第１のアンテナセットを使用して、前記Ｓｃｅｌｌ中の前記基準信号をサンプリングすることを備える、請求項９に記載の方法。
【請求項１３】
キャリアアグリゲーション（ＣＡ）モードで動作することが可能な受信機制限ユーザ機器（ＵＥ）のすべてのアンテナから、信号品質測定値を受信するための手段と、ここにおいて、前記受信機制限ＵＥの受信機の数が、前記ＵＥのアンテナの数よりも少ないかまたはそれに等しく、
前記受信された信号品質測定値に少なくとも部分的に基づいて、前記ＵＥの１次セル（Ｐｃｅｌｌ）または２次セル（Ｓｃｅｌｌ）のうちの少なくとも１つを動的に構成するための手段とを備える、ワイヤレス通信のための装置。
【請求項１４】
前記信号品質測定値を受信するための前記手段は、前記Ｓｃｅｌｌが構成されたとき、前記ＵＥから前記Ｐｃｅｌｌのための第１のランク報告を受信するための手段、ここにおいて、前記第１のランク報告が、前記Ｐｃｅｌｌの報告されたランクを含み、を備え、
ここにおいて、動的に構成するための前記手段は、前記Ｐｃｅｌｌの前記報告されたランクが、前記ＵＥにおけるアンテナの前記数に等しいとき、前記Ｓｃｅｌｌを非アクティブ化するための手段と、前記Ｐｃｅｌｌ上での多入力多出力（ＭＩＭＯ）動作のために前記ＵＥを構成するための手段とを備える、請求項１３に記載の装置。
【請求項１５】
前記Ｐｃｅｌｌのための後で報告されたランクが、前記第１のランク報告中の前記Ｐｃｅｌｌの前記報告されたランクと比較して、より低い値に低下するとき、より低次のＭＩＭＯ動作のために、前記ＵＥを構成するための手段と、前記Ｓｃｅｌｌをアクティブ化するための手段とをさらに備える、請求項１４に記載の装置。
【請求項１６】
動的に構成するための前記手段が、
送信時間間隔（ＴＴＩ）レベルにおいて、前記Ｓｃｅｌｌのアクティブ化または非アクティブ化のうちの少なくとも１つをスケジュールするための手段を備える、請求項１３に記載の装置。
【請求項１７】
前記信号品質測定値を受信するための前記手段は、
前記Ｓｃｅｌｌが構成されたとき、前記ＵＥから前記Ｐｃｅｌｌのための第１のランク報告を受信するための手段と、ここにおいて、前記第１のランク報告が、前記Ｐｃｅｌｌの報告されたランクを含み、
前記ＵＥから前記Ｓｃｅｌｌのための第２のランク報告を受信するための手段と、ここにおいて、前記第２のランク報告が、前記Ｓｃｅｌｌの報告されたランクを含み、を備え、
ここにおいて、動的に構成するための前記手段は、前記Ｓｃｅｌｌのための前記報告されたランクが、前記ＵＥにおけるアンテナの前記数に等しいとき、ＣＡを非アクティブ化するための手段と、前記Ｓｃｅｌｌ上での多入力多出力（ＭＩＭＯ）動作のために、前記ＵＥを前記Ｓｃｅｌｌにハンドオーバするための手段とを備える、請求項１３に記載の装置。
【請求項１８】
前記Ｓｃｅｌｌの後で報告されたランクが、前記第２のランク報告中の前記Ｓｃｅｌｌの前記報告されたランクと比較して、より低い値に低下するとき、より低次のＭＩＭＯ動作のために前記ＵＥを構成するための手段と、ＣＡをアクティブ化するための手段とをさらに備える、請求項１７に記載の装置。
【請求項１９】
ＵＥカテゴリーおよび多入力多出力（ＭＩＭＯ）能力に少なくとも部分的に基づいて、前記受信機制限ＵＥを検出するための手段をさらに備える、請求項１３に記載の装置。
【請求項２０】
前記受信機制限ＵＥが、カテゴリー５またはより高いＵＥであり、各ＣＡ帯域統合について、最大２×２ＭＩＭＯサポートを報告する、請求項１９に記載の装置。
【請求項２１】
ワイヤレス通信ネットワークにおいて、１次セル（Ｐｃｅｌｌ）および２次セル（Ｓｃｅｌｌ）のためのランクを決定するための装置であって、前記装置が、
第１の時間間隔において、第１のアンテナセットを使用して、前記Ｐｃｅｌｌ中の基準信号をサンプリングし、第２のアンテナセットを使用して、前記Ｓｃｅｌｌ中の基準信号をサンプリングするための手段と、
第２の時間間隔において、前記サンプリングするステップを繰り返すための手段と、
それぞれ、前記Ｐｃｅｌｌおよび前記Ｓｃｅｌｌのためのランクを決定するために、前記第１の時間間隔および前記第２の時間間隔からの、前記サンプリングされた基準信号を統合するための手段と、
前記Ｐｃｅｌｌおよび前記Ｓｃｅｌｌの前記決定されたランクを、前記ネットワークに報告するための手段とを備える、装置。
【請求項２２】
前記装置が、キャリアアグリゲーション（ＣＡ）モードのユーザ機器（ＵＥ）である、請求項２１に記載の装置。
【請求項２３】
前記装置が、前記ネットワークによってスケジュールされる測定ギャップを有しないユーザ機器（ＵＥ）である、請求項２１に記載の装置。
【請求項２４】
前記第２の時間間隔において、前記サンプリングするステップを繰り返すための前記手段が、
前記第２のアンテナセットを使用して、前記Ｐｃｅｌｌ中の前記基準信号をサンプリングし、前記第１のアンテナセットを使用して、前記Ｓｃｅｌｌ中の前記基準信号をサンプリングするための手段を備える、請求項２１に記載の装置。
【発明の詳細な説明】
【米国特許法第１１９条に基づく優先権の主張】
【０００１】
[0001]本出願は、その全体が参照により本明細書に組み込まれる、２０１４年１０月３１日に出願された米国特許出願第１４／５３０，６６２号の優先権を主張する。
【開示分野】
【０００２】
[0002]請求される本発明のある態様は、一般的に、ＣＡモードで動作することが可能な、受信機制限ＵＥのすべてのアンテナから受信された信号品質測定値に基づいて、１つまたは複数のセルを動的に構成することに関する。
【関連技術の説明】
【０００３】
[0003]ワイヤレス通信ネットワークは、電話、ビデオ、データ、メッセージング、ブロードキャスト等々の様々な通信サービスを提供するために広く展開されている。通常、多元接続ネットワークである、そのようなネットワークは、利用可能なネットワークリソースを共有することによって、多数のユーザのための通信をサポートする。例えば、１つのネットワークは、ＥＶＤＯ（エボリューションデータオプティマイズド：Evolution-Data Optimized）、１ｘＲＴＴ（１ｘ無線送信技術：1 times Radio Transmission Technology、または単に１ｘ）、Ｗ−ＣＤＭＡ（登録商標）（広帯域符号分割多元接続）、ＵＭＴＳ−ＴＤＤ（ユニバーサルモバイルテレコミュニケーションズシステム−時分割複信：Universal Mobile Telecommunications System-Time Division Duplexing）、ＨＳＰＡ（高速パケットアクセス）、ＧＰＲＳ（汎用パケット無線サービス）、またはＥＤＧＥ（グローバル進化型エンハンスドデータレート：Enhanced Data rates for Global Evolution）を含む様々な３Ｇ無線アクセス技術（ＲＡＴ）のうちのいずれか１つを介してネットワークサービスを提供し得る３Ｇ（第３世代のモバイルフォン規格および技術）システムであり得る。３Ｇネットワークは、ボイス呼に加えて、高速インターネットアクセスおよびビデオ電話を組み込むように発展したワイドエリアセルラー電話ネットワークである。さらに、３Ｇネットワークは、他のネットワークシステムよりも一層確立されており、より大きいカバレージエリアを提供し得る。そのような多元接続ネットワークはまた、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）ネットワーク、第３世代パートナーシッププロジェクト（３ＧＰＰ（登録商標）：3rd Generation Partnership Project）ロングタームエボリューション（ＬＴＥ）（登録商標）ネットワーク、およびロングタームエボリューションアドバンスト（ＬＴＥ−Ａ）ネットワークを含み得る。
【０００４】
[0004]ワイヤレス通信ネットワークは、沢山の移動局のための通信をサポートすることができる、沢山の基地局を含み得る。移動局（ＭＳ）は、ダウンリンクおよびアップリンクを介して基地局（ＢＳ）と通信し得る。ダウンリンク（または順方向リンク）は、基地局から移動局への通信リンクを指し、アップリンク（または逆方向リンク）は、移動局から基地局への通信リンクを指す。基地局は、移動局にダウンリンク上で、データおよび制御情報を送信し得、および／または移動局からアップリンク上で、データおよび制御情報を受信し得る。
【０００５】
[0005]移動局は、異なる適用例および／または周波数帯域によって共有され得る、いくつかの受信機およびアンテナを有し得る。受信機制限移動局は、受信機の数が、アンテナの数（Ｎ）よりも少ないかまたはそれに等しい移動局を指すことがある。受信機制限移動局は、非キャリアアグリゲーション（ＣＡ）モードで、Ｍ×Ｎ  多入力多出力（ＭＩＭＯ）において動作し得、ここで、Ｍは送信デバイスにおけるアンテナの数を表す。しかしながら、移動局は「受信機制限」されるので、移動局は、ＣＡにおいて、Ｍ×（Ｎ／２）ＭＩＭＯをサポートするにすぎないことがある。
【０００６】
[0006]受信機制限ＵＥにおいて、いったんＣＡが構成され、アクティブ化されると、受信機が２次セル（Ｓｃｅｌｌ）に割り当てられるので、ランクが１次セル（Ｐｃｅｌｌ）上で改善したかどうかを検査するための機構がないことがあり、またはその逆も同様である。そのような状況下では、ネットワークは、利用可能な空間多重化利得を利用していないことがあり、Ｓｃｅｌｌ上のリソースを、不必要に拘束（tie-up）していることがあり得る。
【０００７】
[0007]ＰｃｅｌｌまたはＳｃｅｌｌのいずれか上でのＭ×Ｎ  ＭＩＭＯが選好され得るので、必要なものは、受信機制限ＵＥを検出し、それに応じて、１つまたは複数のセルをアクティブ化および／または非アクティブ化するための技法および装置である。
【発明の概要】
【０００８】
[0008]ある態様は、一般的に、ワイヤレス通信のための方法に関する。本方法は、一般的に、ＣＡモードで動作することが可能な受信機制限ＵＥのすべてのアンテナから、信号品質測定値を受信することと、ここにおいて、受信機制限ＵＥの受信機の数が、ＵＥのアンテナの数よりも少ないかまたはそれに等しい、受信された信号品質測定値に少なくとも部分的に基づいて、ＵＥの１次セル（Ｐｃｅｌｌ）または２次セル（Ｓｃｅｌｌ）のうちの少なくとも１つを動的に構成することとを含む。
【０００９】
[0009]ある態様は、一般的に、ワイヤレス通信のための装置に関する。本装置は、一般的に、ＣＡモードで動作することが可能な受信機制限ＵＥのすべてのアンテナから、信号品質測定値を受信するための手段と、ここにおいて、受信機制限ＵＥの受信機の数が、ＵＥのアンテナの数よりも少ないかまたはそれに等しい、受信された信号品質測定値に少なくとも部分的に基づいて、ＵＥのＰｃｅｌｌまたはＳｃｅｌｌのうちの少なくとも１つを動的に構成するための手段とを含む。
【００１０】
[0010]ある態様は、一般的に、ワイヤレス通信のための装置に関する。本装置は、一般的に、少なくとも１つのプロセッサと、受信機と、その上に記憶された命令を持つ、少なくとも１つのプロセッサに結合されたメモリとを含む。受信機は、一般的に、ＣＡモードで動作することが可能な受信機制限ＵＥのすべてのアンテナから、信号品質測定値を受信するように構成され、ここにおいて、受信機制限ＵＥの受信機の数が、ＵＥのアンテナの数よりも少ないかまたはそれに等しい。少なくとも１つのプロセッサは、一般的に、受信された信号品質測定値に少なくとも部分的に基づいて、ＵＥのＰｃｅｌｌまたはＳｃｅｌｌのうちの少なくとも１つを動的に構成するように構成される。
【００１１】
[0011]ある態様は、一般的に、その上に記憶された命令を有する、ワイヤレス通信のためのコンピュータ可読媒体に関し、命令は、ＣＡモードで動作することが可能な受信機制限ＵＥのすべてのアンテナから、信号品質測定値を受信することと、ここにおいて、受信機制限ＵＥの受信機の数が、ＵＥのアンテナの数よりも少ないかまたはそれに等しい、受信された信号品質測定値に少なくとも部分的に基づいて、ＵＥのＰｃｅｌｌまたはＳｃｅｌｌのうちの少なくとも１つを動的に構成することとを行うために、１つまたは複数のプロセッサによって実行可能である。
【００１２】
[0012]ある態様は、一般的に、ワイヤレス通信ネットワークにおいて、ＰｃｅｌｌおよびＳｃｅｌｌのためのランクを決定するための方法に関する。本方法は、一般的に、第１の時間間隔において、第１のアンテナセットを使用して、Ｐｃｅｌｌ中の基準信号をサンプリングし、第２のアンテナセットを使用して、Ｓｃｅｌｌ中の基準信号をサンプリングすることと、第２の時間間隔において、サンプリングするステップを繰り返すことと、それぞれ、ＰｃｅｌｌおよびＳｃｅｌｌのためのランクを決定するために、第１の時間間隔および第２の時間間隔からのサンプリングされた基準信号を統合することと、ＰｃｅｌｌおよびＳｃｅｌｌの決定されたランクをネットワークに報告することとを含む。
【００１３】
[0013]ある態様は、一般的に、ワイヤレス通信ネットワークにおいて、ＰｃｅｌｌおよびＳｃｅｌｌのためのランクを決定するための装置に関する。本装置は、一般的に、第１の時間間隔において、第１のアンテナセットを使用して、Ｐｃｅｌｌ中の基準信号をサンプリングし、第２のアンテナセットを使用して、Ｓｃｅｌｌ中の基準信号をサンプリングするための手段と、第２の時間間隔において、サンプリングするステップを繰り返すための手段と、それぞれ、ＰｃｅｌｌおよびＳｃｅｌｌのためのランクを決定するために、第１の時間間隔および第２の時間間隔からのサンプリングされた基準信号を統合するための手段と、ＰｃｅｌｌおよびＳｃｅｌｌの決定されたランクをネットワークに報告するための手段とを含む。
【００１４】
[0014]ある態様は、一般的に、ワイヤレス通信ネットワークにおいて、ＰｃｅｌｌおよびＳｃｅｌｌのためのランクを決定するための装置に関する。本装置は、一般的に、少なくとも１つのプロセッサと、送信機と、少なくとも１つのプロセッサに結合された、その上に記憶された命令を有するメモリとを含む。少なくとも１つのプロセッサは、一般的に、第１の時間間隔において、第１のアンテナセットを使用して、Ｐｃｅｌｌ中の基準信号をサンプリングし、第２のアンテナセットを使用して、Ｓｃｅｌｌ中の基準信号をサンプリングすることと、第２の時間間隔において、サンプリングするステップを繰り返すことと、それぞれ、ＰｃｅｌｌおよびＳｃｅｌｌのためのランクを決定するために、第１の時間間隔および第２の時間間隔からのサンプリングされた基準信号を統合することとを行うように構成される。送信機は、一般的に、ＰｃｅｌｌおよびＳｃｅｌｌの決定されたランクをネットワークに報告するように構成される。
【００１５】
[0015]ある態様は、一般的に、その上に記憶された命令を有する、ワイヤレス通信のためのコンピュータ可読媒体に関し、命令は、第１の時間間隔において、第１のアンテナセットを使用して、Ｐｃｅｌｌ中の基準信号をサンプリングし、第２のアンテナセットを使用して、Ｓｃｅｌｌ中の基準信号をサンプリングすることと、第２の時間間隔において、サンプリングするステップを繰り返すことと、それぞれ、ＰｃｅｌｌおよびＳｃｅｌｌのためのランクを決定するために、第１の時間間隔および第２の時間間隔からのサンプリングされた基準信号を統合することと、ＰｃｅｌｌおよびＳｃｅｌｌの決定されたランクをネットワークに報告することとを行うために、１つまたは複数のプロセッサによって実行可能である。
【００１６】
[0016]請求される本発明の上記で引用された特徴が詳細に理解され得るように、添付の図面にその一部が例証された態様を参照することによって、上記で手短に要約されたより特有の説明が得られ得る。しかしながら、その説明は他の等しく有効な態様に通じ得るので、添付の図面は、請求される本発明の、ある典型的な態様のみを例証し、それゆえ、本開示の範囲を限定するものと見なされるべきではないことに留意されたい。
【図面の簡単な説明】
【００１７】
【図１】[0017]図１は、本発明の様々な実施形態に従った、例となるワイヤレス通信ネットワークを例証する。
【図２】[0018]図２は、本発明の様々な実施形態に従った、例となるＡＰおよびユーザ端末のブロック図である。
【図３】[0019]図３は、本発明の様々な実施形態に従った、例となるトランシーバフロントエンドのブロック図である。
【図４】[0020]図４は、本発明の様々な実施形態による、非受信機制限ＵＥの一例を例証する。
【図５】[0021]図５は、本発明の様々な実施形態による、受信機制限ＵＥの一例を例証する。
【図６】[0022]図６は、本発明の様々な実施形態による、割り当てられた測定ギャップを使用せずに、ＰｃｅｌｌおよびＳｃｅｌｌを測定するためにすべてのアンテナが使用され得るように、スイッチを利用するＵＥの例となるアーキテクチャを例証する。
【図７】[0023]図７は、本発明の様々な実施形態による、例えば、ネットワークによって実行される動作を例証する。
【図８】[0024]図８は、本発明の様々な実施形態による、例えば、ＵＥによって実行される動作を例証する図。
【発明を実施するための形態】
【００１８】
[0025]請求される本発明の態様は、各セルについて最も高いランクを割り振ろうとして、受信機制限ＵＥから受信された情報に基づいて、ＡＰ／ｅＮＢを介して１つまたは複数のセル（たとえば、Ｐｃｅｌｌおよび／またはＳｃｅｌｌ）を動的に構成するネットワーク（たとえば、ＡＰ／ｅＮＢ）に関する。よって、本発明の態様は、ＣＡがアクティブ化されているとき、ＵＥがＣＡモードから多入力多出力（ＭＩＭＯ）にスイッチし、それによりネットワークリソースを解放し得るように、ＰｃｅｌｌまたはＳｃｅｌｌのためのランクが改善したかどうかを検査するための機構を提供する。
【００１９】
[0026]さらに、本明細書で説明する請求される本発明の態様は、ＵＥが、ＰｃｅｌｌとＳｃｅｌｌの両方のために完全なチャネル行列を構成するための方法および装置を提供する。例えば、ネットワークでスケジュールされた測定ギャップなしに、ＵＥは、ＰｃｅｌｌとＳｃｅｌｌの両方のために、完全な（たとえば、４×４）チャネル行列を構成しようとして、ＰｃｅｌｌとＳｃｅｌｌの両方からの基準信号を測定するためにアンテナスワッピングを使用し得る。さらに、請求される本発明の態様は、特に４×４チャネル行列に関し得るが、請求される本発明が任意のＭ×Ｎチャネル行列のために実装され得ることを、当業者は理解されよう。
【００２０】
[0027]請求される本発明の様々な態様が、以下で説明される。本明細書の教示は、多種多様な形態で実施され得、本明細書で開示する特定の構造、機能、またはその両方は代表的なものにすぎないことは明らかであろう。本明細書の教示に基づいて、本明細書で開示する態様は、他の任意の態様から独立して実装され得ること、およびこれらの態様のうちの２つまたはそれ以上は、様々な方法で統合され得ることを、当業者は諒解されたい。例えば、本明細書に記載する任意の数の態様を使用しても、装置は実装され得、または方法は実施され得る。加えるに、本明細書に記載する態様のうちの１つまたは複数に加えて、あるいはそれら以外の他の構造、機能、または構造および機能を使用して、そのような装置が実装され得るか、またはそのような方法が実施され得る。さらに、１つの態様は、１つの請求項の少なくとも１つの要素を備え得る。
【００２１】
[0028]「例示的」という単語は、本明細書では「例、事例、または例証の働きをすること」を意味するために使用される。「例示的」として本明細書で説明するいかなる態様も、必ずしも他の態様よりも好適または有利であると解釈されるべきであるとは限らない。
【００２２】
[0029]本明細書で説明する技法は、符号分割多元接続（ＣＤＭＡ）、直交周波数分割多重（ＯＦＤＭ）、時分割多元接続（ＴＤＭＡ）、空間分割多元接続（ＳＤＭＡ）、シングルキャリア周波数分割多元接続（ＳＣ−ＦＤＭＡ）、時分割同期符号分割多元接続（ＴＤ−ＳＣＤＭＡ）のような、様々なワイヤレス技術と組み合わせて使用され得る。多数のユーザ端末は、異なる（１）ＣＤＭＡのための直交符号チャネル、（２）ＴＤＭＡのためのタイムスロット、または（３）ＯＦＤＭのためのサブ帯域を介して、データを同時に送信／受信することができる。ＣＤＭＡシステムは、ＩＳ−２０００、ＩＳ−９５、ＩＳ−８５６、広帯域ＣＤＭＡ（Ｗ−ＣＤＭＡ）、または何らかの他の規格を実装し得る。ＯＦＤＭシステムは、米国電気電子技術者協会（ＩＥＥＥ）８０２．１１（ワイヤレスローカルエリアネットワーク（ＷＬＡＮ））、ＩＥＥＥ８０２．１６（ワールドワイドインターオペラビリティフォーマイクロウェーブアクセス（ＷｉＭＡＸ（登録商標）））、（たとえば、ＴＤＤおよび／またはＦＤＤモードの）ロングタームエボリューション（ＬＴＥ）、または何らかの他の規格を実装し得る。ＴＤＭＡシステムは、モバイル通信用グローバルシステム（ＧＳＭ（登録商標））または何らかの他の規格を実装し得る。これらの様々な規格は、当技術分野で知られている。本明細書で説明する技法はまた、グローバルナビゲーション衛星システム（ＧＮＳＳ）、Ｂｌｕｅｔｏｏｔｈ（登録商標）、ＩＥＥＥ８０２．１５（ワイヤレスパーソナルエリアネットワーク（ＷＰＡＮ））、ニアフィールド通信（ＮＦＣ）、スモールセル、周波数変調（ＦＭ）、およびそのようなものを含む、無線周波数（ＲＦ）技術を使用して、様々な他の好適なワイヤレスシステムのうちのいずれかにおいて実装され得る。
例となるワイヤレスシステム
[0030]図１は、請求される本発明の態様が実行され得る、例となるワイヤレス通信システムを例証する。例えば、受信機制限ＵＥ１２０は、ネットワークと通信し得る。１つまたは複数のＡＰ１１０は、セルラー領域（セル）を定義し得る。ネットワークは、受信機制限ＵＥ１２０のすべてのアンテナから、信号品質測定値を受信し得る。ネットワークは、受信された信号品質測定値に少なくとも部分的に基づいて、（図１には示されていない）１つまたは複数のセルを動的に構成し得る。態様によれば、ＡＰ（たとえば、ｅＮＢ）は、ＵＥのＣＡ能力に基づいて、Ｐｃｅｌｌおよび／またはＳｃｅｌｌを含む１つまたは複数のセルを構成し得る。さらに、Ｓｃｅｌｌのアクティブ化および非アクティブ化が、メディアアクセス制御（ＭＡＣ）シグナリングを使用して、ＡＰによって実行され得る。
【００２３】
[0031]図１は、アクセスポイントとユーザ端末とを持つワイヤレス通信システム１００を例証している。簡単のために、ただ１つのアクセスポイント１１０が図１に、差し示されている。アクセスポイント（ＡＰ）は、一般的に、ユーザ端末と通信する固定局であり、基地局（ＢＳ）、発展型ノードＢ（ｅＮＢ）、または何らかの他の用語で呼ばれることもある。ユーザ端末（ＵＴ）は、固定または移動であり得、移動局（ＭＳ）、アクセス端末、ユーザ機器（ＵＥ）、局（ＳＴＡ）、クライアント、ワイヤレスデバイス、または何らかの他の用語で呼ばれることもある。ユーザ端末は、セルラーフォン、携帯情報端末（ＰＤＡ）、ハンドヘルドデバイス、ワイヤレスモデム、ラップトップコンピュータ、タブレット、パーソナルコンピュータなどのようなワイヤレスデバイスであり得る。
【００２４】
[0032]アクセスポイント１１０は、ダウンリンクおよびアップリンク上で、任意の所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０は、アクセスポイントに結合し、アクセスポイントのための協調および制御を行う。
【００２５】
[0033]システム１００は、ダウンリンクおよびアップリンク上でのデータ送信のために、多数の送信アンテナおよび多数の受信アンテナを採用する。アクセスポイント１１０は、ダウンリンク送信のための送信ダイバーシティおよび／またはアップリンク送信のための受信ダイバーシティを達成するために、Ｎap個のアンテナを装備し得る。Ｎu個の選択されたユーザ端末１２０のセットは、ダウンリンク送信を受信し、アップリンク送信を送信し得る。各選択されたユーザ端末は、アクセスポイントにユーザ固有データを送信し、および／またはアクセスポイントからユーザ固有データを受信する。一般的に、各選択されたユーザ端末は、１つまたは複数（すなわち、Ｎut≧１）のアンテナを装備し得る。Ｎu個の選択されたユーザ端末は、同じまたは異なる数のアンテナを有することができる。
【００２６】
[0034]ワイヤレスシステム１００は、時分割複信（ＴＤＤ）システムまたは周波数分割複信（ＦＤＤ）システムであり得る。ＴＤＤシステムについて、ダウンリンクとアップリンクは同じ周波数帯域を共有し得る。ＦＤＤシステムについて、ダウンリンクとアップリンクは異なる周波数帯域を使用する。システム１００はまた、送信のために単一のキャリアまたは多数のキャリアを利用し得る。各ユーザ端末は、（たとえば、コストを抑えるために）単一のアンテナを装備するか、または（たとえば、追加コストがサポートされ得る場合）多数のアンテナを装備し得る。
【００２７】
[0035]図２は、請求される本発明の態様を実行するために使用され得る、例示的なアクセスポイントおよびユーザ端末を例証する。例えば、受信機制限ＵＥは、ＵＴ１２０に示されている１つまたは複数のモジュールを含み得る。ネットワークは、ＡＰを介して、受信機制限ユーザ機器ＵＥのすべてのアンテナから、信号品質測定値を受信し得、受信された信号品質測定値に少なくとも部分的に基づいて、１つまたは複数のセルを動的に構成し得る。図１に差し示されているように、ネットワークは、ＡＰ１１０のような、１つまたは複数のアクセスポイントを含み得る。さらに、ネットワークでスケジュールされた測定ギャップなしに、ＵＴ１２０は、ＣＡモードで動作しながら、さらに、本明細書で請求し、説明するように、アンテナをスワップすることによって、ＰｃｅｌｌおよびＳｃｅｌｌの両方の完全チャネル行列を構成し得る。
【００２８】
[0036]図２は、ワイヤレスシステム１００における、アクセスポイント１１０と２つのユーザ端末１２０ｍおよび１２０ｘとのブロック図を差し示している。アクセスポイント１１０は、Ｎap個のアンテナ２２４ａ〜２２４ａｐを装備する。ユーザ端末１２０ｍは、Ｎut,m個のアンテナ２５２ｍａ〜２５２ｍｕを装備し、ユーザ端末１２０ｘは、Ｎut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、周波数チャネルを介してデータを送信することが可能な、独立動作型の装置またはデバイスであり、「受信エンティティ」は、周波数チャネルを介してデータを受信することが可能な、独立動作型の装置またはデバイスである。以下の説明では、下付き文字「ｄｎ」はダウンリンクを示し、下付き文字「ｕｐ」はアップリンクを示し、Ｎup個のユーザ端末が、アップリンク上での同時送信のために選択され、Ｎdn個のユーザ端末が、ダウンリンク上での同時送信のために選択され、Ｎupは、Ｎdnに等しいことも等しくないこともあり、ＮupおよびＮdnは、静的値であり得るか、またはスケジューリング間隔ごとに変化することがある。ビームステアリングまたは何らかの他の空間処理技法は、アクセスポイントおよびユーザ端末において使用され得る。
【００２９】
[0037]アップリンク上で、アップリンク送信のために選択された各ユーザ端末１２０において、ＴＸデータプロセッサ２８８は、データソース２８６からトラフィックデータを受信し、コントローラ２８０から制御データを受信する。ＴＸデータプロセッサ２８８は、ユーザ端末のために選択されたレートに関連するコーディングおよび変調方式に基づいて、ユーザ端末のためにトラフィックデータ｛ｄup｝を処理（たとえば、符号化、インターリーブ、および変調）し、Ｎut,m個のアンテナのうちの１つのためのデータシンボルストリーム｛ｓup｝を提供する。（無線周波数フロントエンド（ＲＦＦＥ）としても知られる）トランシーバフロントエンド（ＴＸ／ＲＸ）２５４は、アップリンク信号を生成するために、それぞれのシンボルストリームを受信し、処理（たとえば、アナログ変換、増幅、フィルタ処理、および周波数アップコンバート）する。トランシーバフロントエンド２５４はまた、例えば、ＲＦスイッチを介して送信ダイバーシティのために、Ｎut,m個のアンテナのうちの１つにアップリンク信号をルーティングし得る。コントローラ２８０は、トランシーバフロントエンド２５４内のルーティングを制御し得る。
【００３０】
[0038]Ｎup個のユーザ端末が、アップリンク上での同時送信のためにスケジュールされ得る。これらのユーザ端末の各々は、処理されたシンボルストリームのそれのセットを、アップリンク上でアクセスポイントに送信する。
【００３１】
[0039]アクセスポイント１１０において、Ｎap個のアンテナ２２４ａ〜２２４ａｐは、アップリンク上で送信するすべてのＮup個のユーザ端末からアップリンク信号を受信する。受信ダイバーシティについて、トランシーバフロントエンド２２２は、処理のために、アンテナ２２４のうちの１つから受信された信号を選択し得る。本開示のある態様では、多数のアンテナ２２４から受信された信号の統合が、受信ダイバーシティの向上のために統合され得る。アクセスポイントのトランシーバフロントエンド２２２はまた、ユーザ端末のトランシーバフロントエンド２５４によって実行される処理と相補的な処理を実行し、復元されたアップリンクデータシンボルストリームを提供する。復元されたアップリンクデータシンボルストリームは、ユーザ端末によって送信されたデータシンボルストリーム｛ｓup｝の推定値である。ＲＸデータプロセッサ２４２は、復号データを取得するために、復元されたアップリンクデータシンボルストリームのために使用されたレートに従って、そのストリームを処理（たとえば、復調、デインターリーブ、および復号）する。各ユーザ端末のための復号データは、記憶のためにデータシンク２４４に提供され、および／またはさらなる処理のためにコントローラ２３０に提供され得る。
【００３２】
[0040]ダウンリンク上で、アクセスポイント１１０において、ＴＸデータプロセッサ２１０は、ダウンリンク送信のためにスケジュールされた、Ｎdn個のユーザ端末のためのトラフィックデータを、データソース２０８から受信し、コントローラ２３０から制御データを受信し、場合によってはスケジューラ２３４から他のデータを受信する。様々なタイプのデータが、異なるトランスポートチャネル上で送信され得る。ＴＸデータプロセッサ２１０は、各ユーザ端末のために選択されたレートに基づいて、そのユーザ端末のためのトラフィックデータを処理（たとえば、符号化、インターリーブ、および変調）する。ＴＸデータプロセッサ２１０は、Ｎap個のアンテナのうちの１つから送信されるべき、Ｎdn個のユーザ端末の１または複数のためのダウンリンクデータシンボルストリームを提供し得る。トランシーバフロントエンド２２２は、ダウンリンク信号を生成するために、シンボルストリームを受信し、処理（たとえば、アナログ変換、増幅、フィルタ処理、および周波数アップコンバート）する。トランシーバフロントエンド２２２はまた、例えば、ＲＦスイッチを介して送信ダイバーシティのために、Ｎap個のアンテナ２２４のうちの１つまたは複数にダウンリンク信号をルーティングし得る。コントローラ２３０は、トランシーバフロントエンド２２２内のルーティングを制御し得る。
【００３３】
[0041]各ユーザ端末１２０において、Ｎut,m個のアンテナ２５２は、アクセスポイント１１０からダウンリンク信号を受信する。ユーザ端末１２０における受信ダイバーシティについて、トランシーバフロントエンド２５４は、処理のために、アンテナ２５２のうちの１つから受信された信号を選択し得る。本開示のある態様では、多数のアンテナ２５２から受信された信号の統合が、受信ダイバーシティの向上のために統合され得る。ユーザ端末のトランシーバフロントエンド２５４はまた、アクセスポイントのトランシーバフロントエンド２２２によって実行される処理と相補的な処理を実行し、復元されたダウンリンクデータシンボルストリームを提供する。ＲＸデータプロセッサ２７０は、ユーザ端末のための復号データを取得するために、復元されたダウンリンクデータシンボルストリームを処理（たとえば、復調、デインターリーブ、および復号）する。
【００３４】
[0042]本明細書で説明する技法が、一般的に、ＴＤＭＡ、ＳＤＭＡ、直交周波数分割多元接続（ＯＦＤＭＡ）、ＣＤＭＡ、ＳＣ−ＦＤＭＡ、およびそれらの組合せなど、任意のタイプの多元接続方式を利用するシステムにおいて適用され得ることを、当業者は認識されよう。
【００３５】
[0043]図３は、請求される本発明の態様を実装するために使用され得る、例となるトランシーバフロントエンドを例証する。
【００３６】
[0044]図３は、本開示のある態様に従った、図２中のトランシーバフロントエンド２２２、２５４のような、例となるトランシーバフロントエンド３００のブロック図である。トランシーバフロントエンド３００は、１つまたは複数のアンテナを介して信号を送信するための（送信チェーンとしても知られる）送信（ＴＸ）経路３０２と、アンテナを介して信号を受信するための（受信チェーンとしても知られる）受信（ＲＸ）経路３０４とを含む。ＴＸ経路３０２およびＲＸ経路３０４がアンテナ３０３を共有するとき、経路は、インターフェース３０６を介してアンテナと接続され得、インターフェース３０６は、デュプレクサ、スイッチ、ダイプレクサのような様々な好適なＲＦデバイスのいずれかを含み得る。
【００３７】
[0045]デジタルアナログ変換器（ＤＡＣ）３０８から同相（Ｉ）または直交位相（Ｑ）ベースバンドアナログ信号を受信するために、ＴＸ経路３０２は、ベースバンドフィルタ（ＢＢＦ）３１０と、ミキサ３１２と、ドライバ増幅器（ＤＡ）３１４と、電力増幅器３１６とを含み得る。ＰＡ３１６は、しばしば、ＲＦＩＣの外部にあるが、ＢＢＦ３１０と、ミキサ３１２と、ＤＡ３１４とは、無線周波数集積回路（ＲＦＩＣ）中に含まれ得る。ＢＢＦ３１０は、ＤＡＣ３０８から受信されたベースバンド信号をフィルタ処理し、ミキサ３１２は、当該のベースバンド信号を異なる周波数に変換する（たとえば、ベースバンドからＲＦにアップコンバートする）ために、フィルタ処理されたベースバンド信号を送信局部発振器（ＬＯ）信号と混合する。この周波数変換プロセスは、ＬＯ周波数と当該の信号の周波数との和および差周波数を生成する。和および差周波数は、ビート周波数と呼ばれる。ミキサ３１２によって出力される信号は、典型的に、ＤＡ３１４によって増幅され、アンテナ３０３による送信の前にＰＡ３１６によって増幅されるようなＲＦ信号であり、したがって、ビート周波数は、典型的にＲＦ範囲内にある。
【００３８】
[0046]ＲＸ経路３０４は、低雑音増幅器（ＬＮＡ）３２２と、ミキサ３２４と、ベースバンドフィルタ（ＢＢＦ）３２６とを含む。ＬＮＡ３２２、ミキサ３２４、およびＢＢＦ３２６は、ＴＸ経路構成要素を含む同じＲＦＩＣであることも、そうでないこともある無線周波数集積回路（ＲＦＩＣ）中に含まれ得る。アンテナ３０３を介して受信されるＲＦ信号は、ＬＮＡ３２２によって増幅され得、ミキサ３２４は、当該のＲＦ信号を異なるベースバンド周波数に変換する（すなわち、ダウンコンバートする）ために、増幅されたＲＦ信号を受信局部発振器（ＬＯ）信号と混合する。ミキサ３２４によって出力されたベースバンド信号は、デジタル信号処理のために、デジタルＩまたはＱ信号にアナログデジタル変換器（ＡＤＣ）３２８によって変換される前に、ＢＢＦ３２６によってフィルタ処理され得る。
【００３９】
[0047]ＬＯの出力は、周波数において安定したままであることが望ましいが、異なる周波数に同調することは、可変周波数発振器を使用することを示し、これは、安定性と同調性との間の妥協を伴う。現代のシステムは、特有の同調範囲を持つ安定した、同調可能なＬＯを生成するために、電圧制御発振器（ＶＣＯ）を持つ周波数シンセサイザを採用する。よって、送信ＬＯは、典型的に、ＴＸ周波数シンセサイザ３１８によって生成され、送信ＬＯは、ミキサ３１２中でベースバンド信号と混合される前に、増幅器３２０によってバッファまたは増幅され得る。同様に、受信ＬＯは、典型的に、ＲＸ周波数シンセサイザ３３０によって生成され、受信ＬＯは、ミキサ３２４中でＲＦ信号と混合される前に、増幅器３３２によってバッファまたは増幅され得る。
ＣＡモード受信機制限ＵＥにおいて、各セルについて可能な最も高いランクを割り振るための例となる機構
[0048]受信機の数と同じ数（Ｎ）のアンテナを有し、キャリアアグリゲーション（ＣＡ）をサポートするセルラーデバイスは、非ＣＡモードでＭ×Ｎ  ＭＩＭＯにおいて動作し得、ここで、Ｍは送信機におけるアンテナの数であり、セルラーデバイスは、ＵＥが「受信機制限」されるので、ＣＡにおいて、Ｍ×（Ｎ／２）ＭＩＭＯをサポートするにすぎないことがある。受信機制限ＵＥにおいて、いったんＣＡが構成され、アクティブ化されると、例えば、受信機が２次セル（Ｓｃｅｌｌ）に割り当てられるので、ランクが１次セル（Ｐｃｅｌｌ）上で改善したかどうかを検査するための機構がないことがある（またはその逆も同様である）。そのような状況下では、ネットワークは、利用可能な空間多重化利得を利用していないことがあり、例えば、Ｓｃｅｌｌ上のリソースを不必要に拘束していることがある。
【００４０】
[0049]上記で説明したように、セルラーデバイス（たとえば、ＵＥ）は、いくつかの受信機およびアンテナを有し得る。多数の受信機が、異なる適用例および／または周波数帯域間で共有され得るので、いくつかのＵＥが、セルラー目的のために利用可能なアンテナをＲＦ受信機よりも多く有する。上記で説明したように、ＵＥがそれの受信機をＳｃｅｌｌに割り振り、ＵＥが可能である空間多重化利得を最大にすることができない場合、問題が起こり得る。
【００４１】
[0050]図４は、非受信機制限ＵＥの例となる、設計アーキテクチャ４００を例証する。設計アーキテクチャ４００は、ＣＡモードならびに非ＣＡモードで、２×２ＭＩＭＯをサポートし得る。例証のように、デュプレクサは、帯域間ＰｃｅｌｌおよびＳｃｅｌｌがアンテナを共有することを可能にする。図４に差し示されている非受信機制限ＵＥについて、図４に例証されているように、受信機の数（４つの受信機が例証されている）は２＊アンテナの数（２つのアンテナが例証されている）に等しい。
【００４２】
[0051]図５は、請求される本発明の態様による、受信機制限ＵＥの例となる設計アーキテクチャ５００を例証する。設計アーキテクチャ５００は、非ＣＡモードでは、４×４ＭＩＭＯをサポートし得るが、ＣＡモードでは、２×２ＭＩＭＯをサポートするにすぎないことがある。言い換えれば、デュプレクサを伴う場合でも、ＵＥは、それのＲＦ受信機制限により４×４ＭＩＭＯとＣＡモードとをサポートしないことがある。図５のＵＥは、受信機の数（４つの受信機が例証されている）がアンテナの数（４つのアンテナが例証されている）よりも小さいかまたはそれに等しいので、受信機制限される。
【００４３】
[0052]図５に例証され、図５を参照しながら説明する設計アーキテクチャを有するＵＥは、４×４ＭＩＭＯとＣＡとの間で、随意にスイッチする必要があり得る。ＣＡシナリオでは、カテゴリー５（ＣＡＴ５）(補:高速ＬＡＮケーブル（100Base-TX）)またはより高いＵＥがＰｃｅｌｌ上で、ランク４を報告する場合、ネットワークは、Ｐｃｅｌｌ上で、ＣＡモードから４×４ＭＩＭＯにスイッチすることによって、Ｓｃｅｌｌリソースを解放し得る。ＣＡからＭＩＭＯへのスイッチは、１ｍｓごとの送信時間間隔（ＴＴＩ）において発生し得る。
【００４４】
[0053]しかしながら、ＣＡがアクティブ化されるとき、ＵＥの受信機はＰｃｅｌｌとＳｃｅｌｌとの間でスプリットされる。したがって、ＣＡからＭＩＭＯにスイッチすることを決定しようとして、ランクがＰｃｅｌｌまたはＳｃｅｌｌのいずれかについて改善したかどうかを検査するための機構はない。
【００４５】
[0054]上記で説明したように、受信機制限ＵＥは、図５に例証されているように、受信機としての数よりも大きいかまたはそれに等しいアンテナの数（Ｎ）を有し得る。したがって、受信機制限ＵＥは、非ＣＡモードでは、Ｍ×Ｎ  ＭＩＭＯにおけるＣＡをサポートし得るが、ＣＡモードでは、Ｍ×（Ｎ／２）ＭＩＭＯをサポートするにすぎないことがある。Ｍ×Ｎ  ＭＩＭＯが、Ｍ×（Ｎ／２）ＭＩＭＯよりも選好され得るので、請求される本発明の態様は、ネットワークが受信機制限ＵＥを検出し、この知識に基づいて１つまたは複数のセルまたはＭＩＭＯを構成し、および／またはアクティブ化し得る機構を提供する。したがって、ネットワークは、必要に応じて、ＵＥによるランク決定のために測定ギャップを構成し得る。請求される本発明の態様によれば、本明細書でより詳細に説明するように、ＵＥは、ＰｃｅｌｌとＳｃｅｌｌの両方のために完全チャネル行列を構成しようとして、ギャップが利用可能でないとき（たとえば、測定ギャップがネットワークによってスケジュールされないとき）ＰｃｅｌｌおよびＳｃｅｌｌ上でランクを測定するために、周期的アンテナスイッチングを実行し得る。
【００４６】
[0055]態様によれば、４つのアンテナをもつＵＥは、ＣＡモードで動作していることがある。Ｓｃｅｌｌが構成され、アクティブ化され得る。ＵＥは、すべての４つのアンテナ上で信号品質を測定し得、第１のランク報告中で（たとえば、Ｐｃｅｌｌ上で）ランクをネットワークに報告し得る。報告されたランクが４である場合、ネットワークは、Ｓｃｅｌｌを非アクティブ化し、Ｐｃｅｌｌ上で、４×４ＭＩＭＯをＵＥに割り当てることを選定し得る。報告されたランクが、第１のランク報告の後の任意の時間に、より低い値に変化する場合、ネットワークは、より低次のＭＩＭＯに移動し、ＣＡのためにＳｃｅｌｌをアクティブ化することを選定し得る。上記で説明したように、モード（ＣＡとＭＩＭＯ）間のスイッチは、ＴＴＩレベルにおいて実行され得る。態様によれば、Ｓｃｅｌｌアクティブ化／非アクティブ化は、ＴＴＩレベルにおいて、ＭＡＣレベルにおいて実行され得る。
【００４７】
[0056]態様によれば、ＵＥは、ＰｃｅｌｌとＳｃｅｌｌの両方上で信号品質を測定し、両方のセルのランクをネットワークに報告し得る。例えば、第１のランク報告はＰｃｅｌｌの報告されたランクを含み得、第２のランク報告はＳｃｅｌｌの報告されたランクを含み得る。報告されたランクがＳｃｅｌｌ上で４である場合、ネットワークは、Ｓｃｅｌｌにハンドオーバし、ＣＡを非アクティブ化し、Ｓｃｅｌｌ上に、４×４ＭＩＭＯを割り当てることを選定し得る。Ｓｃｅｌｌの報告されたランクが、第２のランク報告の後の任意の時間に、より低い値に変化する場合、ネットワークは、より低次のＭＩＭＯに移動し、ＣＡをアクティブ化することを選定し得る。
【００４８】
[0057]４×４ＭＩＭＯをサポートするＵＥは、ＣＡモードで２×２ＭＩＭＯをサポートするＵＥと同様のスループットを達成し得る。例えば、４×４ＭＩＭＯサポート（４つのレイヤ）を持つ１０ＭＨｚセルに対するピークスループットは、１５０Ｍｂｐｓである。２×２ＭＩＭＯを持つ１０ＭＨｚ  Ｐｃｅｌｌおよび１０ＭＨｚ  Ｓｃｅｌｌに対するＣＡモードでのピークスループットは、約１５０Ｍｂｐｓである。それゆえ、請求される本発明の態様は、Ｓｃｅｌｌ上でリソースを有利に解放し、それにより、同様のスループットを維持しながら、システムの容量を増加させ得る。さらに、ＣＡモードで、４×４ＭＩＭＯから２×２ＭＩＭＯに変更すること（たとえば、スイッチすること）は、ＭＡＣレベルにおいて実行され、それにより、高速チャネル適応を可能にし得る。
【００４９】
[0058]請求される本発明の態様によれば、ネットワークは、ＵＥカテゴリーおよびＣＡ  ＭＩＭＯ能力を考慮に入れることによって、受信機制限ＵＥを検出し得る。例えば、カテゴリー５またはより高いＵＥが、ＣＡ帯域統合のために、Ｍ×２ＭＩＭＯ能力、ここでＭは送信機におけるアンテナの数である、を報告するにすぎないとき、ＵＥは、この帯域統合について受信機制限されると考えられる。ネットワークは、以下で説明するように、ＣＡシナリオとＳｃｅｌｌ状態とに基づいてＳｃｅｌｌを構成し、および／またはアクティブ化し得る。
【００５０】
[0059]第１のシナリオによれば、ＣＡ可能ＵＥは、非ＣＡモードで動作していることがある。ＵＥと通信するｅＮＢは、４×４アンテナ構成を有し得る。ＵＥがＰｃｅｌｌ上でランク４（たとえば、ランクインジケータ（ＲＩ）＝４）を報告する場合、ネットワークは、Ｓｃｅｌｌを構成せず、アクティブ化しないことがある。代わりに、Ｐｃｅｌｌのための４×４ＭＩＭＯが、その時間に可能でないことがあるので、ＵＥがＰｃｅｌｌのためのランク２をネットワークに報告するとき、ネットワークは、Ｓｃｅｌｌを構成し、アクティブ化し得る。
【００５１】
[0060]第２のシナリオによれば、Ｓｃｅｌｌは、構成されるがアクティブ化されないことがある。このケースにおいて、ＵＥは、Ｓｃｅｌｌアンテナポートを周期的に使用し、ＰｃｅｌｌのためのＭ×Ｎ（たとえば、４×４）チャネル行列を計算するために受信機を離調させることによって、サポートされるランクを測定することが可能であり得る。いったんＵＥがランク４を報告すると、ネットワークは、Ｓｃｅｌｌ構成を解消し、４×４許可をＵＥに提供するオプションを有する。ＵＥがＰｃｅｌｌのためのランク４能力を報告している限り、ネットワークはＳｃｅｌｌをアクティブ化しないことがある。Ｓｃｅｌｌ周期的測定について、ネットワークは測定ギャップを構成し得る。追加または代替として、ネットワークは、ＵＥが、利用可能なＲＦチェーン上でＳｃｅｌｌを測定することができるように、２×２許可を提供し得る。これはまた、ＵＥがランク能力を２まで周期的に低下させることによって達成され得る。
【００５２】
[0061]第３のシナリオによれば、Ｓｃｅｌｌが構成され、アクティブ化され得る。このケースにおいて、ＵＥは、ＰｃｅｌｌおよびＳｃｅｌｌの両方のためにサポートされるＭ×４チャネル行列（たとえば、ランク４）を測定するために測定ギャップを使用し得る。Ｐｃｅｌｌおよび／またはＳｃｅｌｌが強く、ギャップが周波数間／帯域間／ＲＡＴネイバーのためにスケジュールされない場合、ネットワークは、受信機制限ＵＥのための可能な最も高いランクを測定するためにギャップを開始し得る。態様によれば、ギャップが（たとえば、ＣＡアクティブ状態中に）スケジュールされることが可能でないとき、ＵＥは、すべてのアンテナ上のチャネル状態を決定しようとして、図６を参照しながらより詳細に説明するように、アンテナスイッチングを使用し得る。ＵＥは、ＰｃｅｌｌおよびＳｃｅｌｌの両方のための最も高いランクを決定しようとして、すべてのアンテナから受信されたチャネル状態を統合し得る。ＵＥが、例えば、いったんＰｃｅｌｌのためのランク４を報告すると、ネットワークは、Ｓｃｅｌｌ構成を非アクティブ化し、および／または解消し得る。
【００５３】
[0062]図６は、請求される本発明の態様による、ＰｃｅｌｌおよびＳｃｅｌｌのためのランクを決定しようとして、ＵＥにおいてアンテナをスワップする６００ことの一例を例証する。ＣＡアクティブ化状態中に、Ｓｃｅｌｌは連続的にアクティブであるので、測定ギャップは利用可能でないことがある。請求される本発明の態様によれば、ＵＥは、ネットワークが測定ギャップをスケジュールしていないとき、ＰｃｅｌｌおよびＳｃｅｌｌのランクを、依然として決定し得る。
【００５４】
[0063]ＣＡアクティブ状態において、ＵＥは、Ｐｃｅｌｌ中で、基準信号を測定するための２つのアンテナおよびＳｃｅｌｌ中で、基準信号を測定するための２つのアンテナを使用し得る。アンテナスイッチング（たとえば、スワッピング）は、ＳｃｅｌｌアンテナからＰｃｅｌｌ基準信号をサンプリングし、ＰｃｅｌｌアンテナからＳｃｅｌｌ基準信号をサンプリングするために使用され、それにより、ＰｃｅｌｌおよびＳｃｅｌｌの両方のために完全４×４チャネル行列を構成し得る。
【００５５】
[0064]例えば、第１の時間間隔（たとえば、ｔ１）中に、Ｐｃｅｌｌの第１および第２の（それぞれ、Ｒｘ０およびＲｘ１）チャネルをサンプリングするために、アンテナ０およびアンテナ１が使用され得る。異なる時間間隔（たとえば、第２の時間間隔、ｔ２）中に、Ｐｃｅｌｌの第３および第４の（それぞれ、Ｒｘ２およびＲｘ３）チャネルをサンプリングするために、アンテナ２およびアンテナ３が使用され得る。ＵＥは、Ｐｃｅｌｌのためのランクを決定するために、アンテナ０〜４からの測定値を統合し得る。
【００５６】
[0065]同様に、時間間隔中に、例えば、第１の時間間隔ｔ１中に、Ｐｃｅｌｌの第１および第２の（それぞれ、Ｒｘ０およびＲｘ１）チャネルをサンプリングするために、アンテナ０およびアンテナ１が使用され得る一方、Ｓｃｅｌｌの第１および第２の（それぞれ、Ｒｘ０およびＲｘ１）チャネルをサンプリングするために、アンテナ２およびアンテナ３が使用され得る。異なる時間間隔（たとえば、第２の時間間隔、ｔ２）中に、Ｓｃｅｌｌ（たとえば、ＳｃｅｌｌのＲｘ２およびＲｘ３）を測定するために、アンテナ０およびアンテナ１が使用され得る。ＵＥは、Ｓｃｅｌｌのためのランクを決定するために、アンテナ０〜４からの測定値を統合し得る。
【００５７】
[0066]このようにして、ＰｃｅｌｌおよびＳｃｅｌｌの両方がＣＡアクティブ化されるとき、ＵＥは、ネットワークでスケジュールされた測定ギャップなしに、ＰｃｅｌｌおよびＳｃｅｌｌのランクを決定し得る。上記で説明したように、ＵＥは、ＰｃｅｌｌおよびＳｃｅｌｌの両方のためのランクを決定するためにアンテナをスワップし、それにより、ＰｃｅｌｌおよびＳｃｅｌｌの両方のために完全４×４チャネル行列を構成し得る。４×４チャネル行列は、完全チャネル行列のための一例として使用されるが、請求される本発明の態様が任意のＭ×Ｎチャネル行列のために実装され得ることを、当業者は理解されよう。
【００５８】
[0067]図７は、請求される本発明の態様による、例えば、受信機制限ＵＥと通信しているネットワーク（たとえば、図１および図２のＡＰ１１０などのＡＰ）によって実行される、例となる動作を例証する。図２のＡＰ１１０の１つまたは複数のモジュールが、その動作を実行し得る。例えば、Ｔｘ／Ｒｘ２２２、アンテナ２２４、コントローラ２３０、メモリ２３２、ならびにプロセッサ２１０および２４２が、本明細書で説明する動作を実行し得る。
【００５９】
[0068]７０２において、ネットワークは、ＣＡモードで動作することが可能な受信機制限ＵＥのすべてのアンテナから、信号品質測定値を受信する。ＵＥは、ＵＥにおける受信機の数が、ＵＥにおけるアンテナの数よりも少ないかまたはそれに等しいとき、受信機制限され得る。
【００６０】
[0069]７０４において、ネットワークは、受信された信号品質測定値に少なくとも部分的に基づいて、１つまたは複数のセル（たとえば、Ｐｃｅｌｌおよび／またはＳｃｅｌｌ）を動的に構成し得る。
【００６１】
[0070]請求される本発明の態様によれば、信号品質測定値を受信することは、Ｓｃｅｌｌが構成されたとき、ＵＥからＰｃｅｌｌのための第１のランク報告を受信することを含む。第１のランク報告は、Ｐｃｅｌｌの報告されたランクを含み得る。Ｐｃｅｌｌの報告されたランクが、ＵＥにおけるアンテナの数に等しいとき、ネットワークは、Ｓｃｅｌｌを非アクティブ化し、Ｐｃｅｌｌ上でのＭＩＭＯ動作のためにＵＥを構成し得る。
【００６２】
[0071]請求される本発明の態様によれば、ネットワークは、さらに、Ｐｃｅｌｌの後で報告されたランクが、第１のランク報告中のＰｃｅｌｌの報告されたランクと比較してより低い値に変化するとき、より低次のＭＩＭＯ動作のためにＵＥを構成し、Ｓｃｅｌｌをアクティブ化し得る。
【００６３】
[0072]請求される本発明の態様によれば、ネットワークは、ＴＴＩレベルにおいて、Ｓｃｅｌｌのアクティブ化または非アクティブ化のうちの少なくとも１つをスケジュールすることによって、１つまたは複数のセルを動的に構成し得る。
【００６４】
[0073]Ｐｃｅｌｌの報告されたランクを含む、第１のランク報告をＰｃｅｌｌのためにＵＥから受信することに加えて、ネットワークは、Ｓｃｅｌｌが構成されたとき、第２のランク報告を受信し得る。第２のランク報告は、Ｓｃｅｌｌの報告ランクを含み得る。Ｓｃｅｌｌのための報告されたランクが、ＵＥにおけるアンテナの数に等しいとき、ネットワークは、ＣＡを非アクティブ化し、Ｓｃｅｌｌ上でのＭＩＭＯ動作のために、ＵＥをＳｃｅｌｌにハンドオーバし得る。
【００６５】
[0074]さらに、ネットワークは、Ｓｃｅｌｌの後で報告されたランクが、第２のランク報告中のＳｃｅｌｌの報告されたランクと比較してより低い値に低下するとき、より低次のＭＩＭＯ動作のためにＵＥを構成し、ＣＡをアクティブ化し得る。
【００６６】
[0075]上記で説明したように、ネットワーク（たとえば、ＡＰ）は、ＵＥカテゴリーおよび報告されたＭＩＭＯ能力に少なくとも部分的に基づいて、受信機制限ＵＥを検出し得る。例えば、ネットワークは、ＵＥが、カテゴリー５またはより高いＵＥであり、各ＣＡ帯域統合について最大２×２ＭＩＭＯサポートを報告するとき、ＵＥを受信機制限されるものとして検出し得る。
【００６７】
[0076]図８は、ＰｃｅｌｌおよびＳｃｅｌｌのためのランクを決定するために、例えばＵＥによって実行される動作８００を例証する。動作は、図２中のＵＴ１２０の１つまたは複数のモジュールによって実行され得る。例えば、アンテナ２５２、Ｔｘ／Ｒｘ２５４、コントローラ２８０、メモリ２８２、ならびにプロセッサ２７０および２８８が、本明細書で説明する動作を実行し得る。
【００６８】
[0077]８０２において、ＵＥは、第１の時間間隔において、第１のアンテナセットを使用して、Ｐｃｅｌｌ中の基準信号をサンプリングし、第２のアンテナセットを使用してＳｃｅｌｌ中の基準信号をサンプリングし得る。８０４において、ＵＥは、第２の時間間隔において、サンプリングするステップを繰り返し得る。図６を参照しながら説明したように、ＵＥは、第２のアンテナセットを使用して、Ｐｃｅｌｌ中の基準信号をサンプリングし、第１のアンテナセットを使用して、Ｓｃｅｌｌ中の基準信号をサンプリングすることによって、第２の時間間隔においてサンプリングするステップを繰り返し得る。
【００６９】
[0078]８０６において、ＵＥは、それぞれ、ＰｃｅｌｌおよびＳｃｅｌｌのためのランクを決定するために、第１の時間間隔および第２の時間間隔からのサンプリングされた基準信号を統合し得る。８０８において、ＵＥは、ＰｃｅｌｌおよびＳｃｅｌｌの決定されたランクをネットワークに報告し得る。
【００７０】
[0079]上記で説明したように、図８に例証されている動作を実行するＵＥは、ＣＡモードで動作するＵＥであり得る。ＵＥは、ネットワークでスケジュールされた測定ギャップを有しないことがある。ネットワークでスケジュールされた測定ギャップなしに、ＵＥは、請求される本発明の態様を使用して、ＰｃｅｌｌおよびＳｃｅｌｌのための完全チャネル行列を構成することが可能であり得る。
【００７１】
[0080]このようにして、ＵＥは、アンテナをスワップすること（たとえば、スイッチすること）によって、ＰｃｅｌｌおよびＳｃｅｌｌのランクを決定し得る。言い換えれば、ＵＥが、ＰｃｅｌｌまたはＳｃｅｌｌ上で、基準信号を測定すべき、スケジュールされた測定ギャップを有しないときでも、ＰｃｅｌｌおよびＳｃｅｌｌ基準信号がＵＥにおけるすべてのアンテナから測定され得るように、アンテナスイッチが使用され得る。
【００７２】
[0081]本明細書で使用する「決定すること」という用語は、多種多様なアクションを包含する。例えば、「決定すること」は、計算すること（calculating）、算出すること、処理すること、導出すること、調査すること、ルックアップすること（たとえば、テーブル、データベースまたは別のデータ構造においてルックアップすること）、確認することなどを含み得る。「決定すること」はまた、受信すること（たとえば、情報を受信すること）、アクセスすること（たとえば、メモリ中のデータにアクセスすること）およびそのようなものを含み得る。「決定すること」はまた、解決すること、選択すること、選定すること、確立すること、およびそのようなものを含み得る。
【００７３】
[0082]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることを意図している。
【００７４】
[0083]請求される本発明に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェア構成要素、あるいは本明細書で説明した機能を実行するように設計されたそれらの任意の組合せを用いて実装または実行され得る。汎用プロセッサは、マイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７５】
[0084]本明細書で開示した方法は、説明した方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が特定されない限り、特定のステップおよび／またはアクションの順序および／または使用は特許請求の範囲から逸脱することなく変更され得る。
【００７６】
[0085]説明した機能は、ハードウェア、ソフトウェア、ファームウェア、またはそれらの任意の組合せで実装され得る。ハードウェアで実装される場合、例となるハードウェア構成は、ワイヤレスノード中の処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、それらは当技術分野でよく知られており、したがってこれ以上説明しない。
【００７７】
[0086]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとを持つ汎用処理システムとして構成され得る。代替的に、処理システムは、プロセッサを持つＡＳＩＣ（特定用途向け集積回路）と、バスインターフェースと、（アクセス端末の場合は）ユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、ディスクリートハードウェア構成要素、もしくは他の好適な回路、または本開示全体にわたって説明した様々な機能を実行することができる回路の任意の組合せを用いて、実装され得る。当業者は、特有の適用例と、全体的なシステムに課される全体的な設計制約とに依って、どのようにしたら処理システムについて説明した機能を最も良く実装し得るかを理解されよう。
【００７８】
[0087]特許請求の範囲は、上記に示した厳密な構成および構成要素に限定されないことを理解されたい。上記で説明した方法および装置の構成、動作および詳細において、特許請求の範囲から逸脱することなく、様々な修正、変更および変形が行われ得る。
【図１】
2018137795.tif 000003
【図２】
2018137795.tif 000004
【図３】
2018137795.tif 000005
【図４】
2018137795.tif 000006
【図５】
2018137795.tif 000007
【図６】
2018137795.tif 000008
【図７】
2018137795.tif 000009
【図８】
2018137795.tif 000010
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいて１次セル（Ｐｃｅｌｌ）および２次セル（Ｓｃｅｌｌ）のためのランクを決定するための方法であって、前記方法が、
第１の時間間隔において、第１のアンテナセットを使用して、前記Ｐｃｅｌｌ中の基準信号をサンプリングし、第２のアンテナセットを使用して前記Ｓｃｅｌｌ中の基準信号をサンプリングすることと、
第２の時間間隔において、前記サンプリングするステップを繰り返すことと、
それぞれ、前記Ｐｃｅｌｌおよび前記Ｓｃｅｌｌのためのランクを決定するために、前記第１の時間間隔および前記第２の時間間隔からの、前記サンプリングされた基準信号を統合することと、
前記Ｐｃｅｌｌおよび前記Ｓｃｅｌｌの前記決定されたランクを、前記ネットワークに報告することとを備える、方法。
【請求項２】
前記方法がキャリアアグリゲーション（ＣＡ）モードでユーザ機器（ＵＥ）によって実行される、請求項１に記載の方法。
【請求項３】
前記方法が、前記ネットワークによってスケジュールされる測定ギャップを有しない、ユーザ機器（ＵＥ）によって実行される、請求項１に記載の方法。
【請求項４】
前記第２の時間間隔において、前記サンプリングするステップを繰り返すことが、
前記第２のアンテナセットを使用して、前記Ｐｃｅｌｌ中の前記基準信号をサンプリングし、前記第１のアンテナセットを使用して、前記Ｓｃｅｌｌ中の前記基準信号をサンプリングすることを備える、請求項１に記載の方法。
【請求項５】
ワイヤレス通信ネットワークにおいて、１次セル（Ｐｃｅｌｌ）および２次セル（Ｓｃｅｌｌ）のためのランクを決定するための装置であって、前記装置が、
第１の時間間隔において、第１のアンテナセットを使用して、前記Ｐｃｅｌｌ中の基準信号をサンプリングし、第２のアンテナセットを使用して、前記Ｓｃｅｌｌ中の基準信号をサンプリングするための手段と、
第２の時間間隔において、前記サンプリングするステップを繰り返すための手段と、
それぞれ、前記Ｐｃｅｌｌおよび前記Ｓｃｅｌｌのためのランクを決定するために、前記第１の時間間隔および前記第２の時間間隔からの、前記サンプリングされた基準信号を統合するための手段と、
前記Ｐｃｅｌｌおよび前記Ｓｃｅｌｌの前記決定されたランクを、前記ネットワークに報告するための手段とを備える、装置。
【請求項６】
前記装置が、キャリアアグリゲーション（ＣＡ）モードのユーザ機器（ＵＥ）である、請求項５に記載の装置。
【請求項７】
前記装置が、前記ネットワークによってスケジュールされる測定ギャップを有しないユーザ機器（ＵＥ）である、請求項５に記載の装置。
【請求項８】
前記第２の時間間隔において、前記サンプリングするステップを繰り返すための前記手段が、
前記第２のアンテナセットを使用して、前記Ｐｃｅｌｌ中の前記基準信号をサンプリングし、前記第１のアンテナセットを使用して、前記Ｓｃｅｌｌ中の前記基準信号をサンプリングするための手段を備える、請求項５に記載の装置。
【手続補正２】
【補正対象書類名】明細書
【補正対象項目名】００７８
【補正方法】変更
【補正の内容】
【００７８】
[0087]特許請求の範囲は、上記に示した厳密な構成および構成要素に限定されないことを理解されたい。上記で説明した方法および装置の構成、動作および詳細において、特許請求の範囲から逸脱することなく、様々な修正、変更および変形が行われ得る。
以下に本出願当初の特許請求の範囲を付記する。
［Ｃ１］
キャリアアグリゲーション（ＣＡ）モードで動作することが可能な受信機制限ユーザ機器（ＵＥ）のすべてのアンテナから、信号品質測定値を受信することと、ここにおいて、前記受信機制限ＵＥの受信機の数が、前記ＵＥのアンテナの数よりも少ないかまたはそれに等しく、
前記受信された信号品質測定値に少なくとも部分的に基づいて、前記ＵＥの１次セル（Ｐｃｅｌｌ）または２次セル（Ｓｃｅｌｌ）のうちの少なくとも１つを動的に構成することとを備える、ワイヤレス通信のための方法。
［Ｃ２］
前記信号品質測定値を受信することは、
前記Ｓｃｅｌｌが構成されたとき、前記ＵＥから前記Ｐｃｅｌｌのための第１のランク報告を受信すること、ここにおいて、前記第１のランク報告が、前記Ｐｃｅｌｌの報告されたランクを含み、を備え、
ここにおいて、前記動的に構成することは、前記Ｐｃｅｌｌの前記報告されたランクが、前記ＵＥにおけるアンテナの前記数に等しいとき、前記Ｓｃｅｌｌを非アクティブ化することと、前記Ｐｃｅｌｌ上での多入力多出力（ＭＩＭＯ）動作のために前記ＵＥを構成することとを備える、Ｃ１に記載の方法。
［Ｃ３］
前記Ｐｃｅｌｌのための後で報告されたランクが、前記第１のランク報告中の前記Ｐｃｅｌｌの前記報告されたランクと比較して、より低い値に低下するとき、より低次のＭＩＭＯ動作のために前記ＵＥを構成することと、前記Ｓｃｅｌｌをアクティブ化することとをさらに備える、Ｃ２に記載の方法。
［Ｃ４］
動的に構成することが、
送信時間間隔（ＴＴＩ）レベルにおいて、前記Ｓｃｅｌｌのアクティブ化または非アクティブ化のうちの少なくとも１つをスケジュールすることを備える、Ｃ１に記載の方法。
［Ｃ５］
前記信号品質測定値を受信することは、
前記Ｓｃｅｌｌが構成されたとき、前記ＵＥから前記Ｐｃｅｌｌのための第１のランク報告を受信することと、ここにおいて、前記第１のランク報告が前記Ｐｃｅｌｌの報告されたランクを含み、
前記ＵＥから前記Ｓｃｅｌｌのための第２のランク報告を受信することと、ここにおいて、前記第２のランク報告が前記Ｓｃｅｌｌの報告されたランクを含み、を備え、
ここにおいて、前記動的に構成することは、前記Ｓｃｅｌｌのための前記報告されたランクが前記ＵＥにおけるアンテナの前記数に等しいとき、ＣＡを非アクティブ化することと、前記Ｓｃｅｌｌ上での多入力多出力（ＭＩＭＯ）動作のために、前記ＵＥを前記Ｓｃｅｌｌにハンドオーバすることとを備える、Ｃ１に記載の方法。
［Ｃ６］
前記Ｓｃｅｌｌの後で報告されたランクが、前記第２のランク報告中の前記Ｓｃｅｌｌの前記報告されたランクと比較して、より低い値に低下するとき、より低次のＭＩＭＯ動作のために前記ＵＥを構成することと、ＣＡをアクティブ化することとをさらに備える、Ｃ５に記載の方法。
［Ｃ７］
ＵＥカテゴリーおよび多入力多出力（ＭＩＭＯ）能力に少なくとも部分的に基づいて、前記受信機制限ＵＥを検出することをさらに備える、Ｃ１に記載の方法。
［Ｃ８］
前記受信機制限ＵＥが、カテゴリー５またはより高いＵＥであり、各ＣＡ帯域統合について、最大２×２ＭＩＭＯサポートを報告する、Ｃ７に記載の方法。
［Ｃ９］
ワイヤレス通信ネットワークにおいて１次セル（Ｐｃｅｌｌ）および２次セル（Ｓｃｅｌｌ）のためのランクを決定するための方法であって、前記方法が、
第１の時間間隔において、第１のアンテナセットを使用して、前記Ｐｃｅｌｌ中の基準信号をサンプリングし、第２のアンテナセットを使用して前記Ｓｃｅｌｌ中の基準信号をサンプリングすることと、
第２の時間間隔において、前記サンプリングするステップを繰り返すことと、
それぞれ、前記Ｐｃｅｌｌおよび前記Ｓｃｅｌｌのためのランクを決定するために、前記第１の時間間隔および前記第２の時間間隔からの、前記サンプリングされた基準信号を統合することと、
前記Ｐｃｅｌｌおよび前記Ｓｃｅｌｌの前記決定されたランクを、前記ネットワークに報告することとを備える、方法。
［Ｃ１０］
前記方法がキャリアアグリゲーション（ＣＡ）モードでユーザ機器（ＵＥ）によって実行される、Ｃ９に記載の方法。
［Ｃ１１］
前記方法が、前記ネットワークによってスケジュールされる測定ギャップを有しない、ユーザ機器（ＵＥ）によって実行される、Ｃ９に記載の方法。
［Ｃ１２］
前記第２の時間間隔において、前記サンプリングするステップを繰り返すことが、
前記第２のアンテナセットを使用して、前記Ｐｃｅｌｌ中の前記基準信号をサンプリングし、前記第１のアンテナセットを使用して、前記Ｓｃｅｌｌ中の前記基準信号をサンプリングすることを備える、Ｃ９に記載の方法。
［Ｃ１３］
キャリアアグリゲーション（ＣＡ）モードで動作することが可能な受信機制限ユーザ機器（ＵＥ）のすべてのアンテナから、信号品質測定値を受信するための手段と、ここにおいて、前記受信機制限ＵＥの受信機の数が、前記ＵＥのアンテナの数よりも少ないかまたはそれに等しく、
前記受信された信号品質測定値に少なくとも部分的に基づいて、前記ＵＥの１次セル（Ｐｃｅｌｌ）または２次セル（Ｓｃｅｌｌ）のうちの少なくとも１つを動的に構成するための手段とを備える、ワイヤレス通信のための装置。
［Ｃ１４］
前記信号品質測定値を受信するための前記手段は、前記Ｓｃｅｌｌが構成されたとき、前記ＵＥから前記Ｐｃｅｌｌのための第１のランク報告を受信するための手段、ここにおいて、前記第１のランク報告が、前記Ｐｃｅｌｌの報告されたランクを含み、を備え、
ここにおいて、動的に構成するための前記手段は、前記Ｐｃｅｌｌの前記報告されたランクが、前記ＵＥにおけるアンテナの前記数に等しいとき、前記Ｓｃｅｌｌを非アクティブ化するための手段と、前記Ｐｃｅｌｌ上での多入力多出力（ＭＩＭＯ）動作のために前記ＵＥを構成するための手段とを備える、Ｃ１３に記載の装置。
［Ｃ１５］
前記Ｐｃｅｌｌのための後で報告されたランクが、前記第１のランク報告中の前記Ｐｃｅｌｌの前記報告されたランクと比較して、より低い値に低下するとき、より低次のＭＩＭＯ動作のために、前記ＵＥを構成するための手段と、前記Ｓｃｅｌｌをアクティブ化するための手段とをさらに備える、Ｃ１４に記載の装置。
［Ｃ１６］
動的に構成するための前記手段が、
送信時間間隔（ＴＴＩ）レベルにおいて、前記Ｓｃｅｌｌのアクティブ化または非アクティブ化のうちの少なくとも１つをスケジュールするための手段を備える、Ｃ１３に記載の装置。
［Ｃ１７］
前記信号品質測定値を受信するための前記手段は、
前記Ｓｃｅｌｌが構成されたとき、前記ＵＥから前記Ｐｃｅｌｌのための第１のランク報告を受信するための手段と、ここにおいて、前記第１のランク報告が、前記Ｐｃｅｌｌの報告されたランクを含み、
前記ＵＥから前記Ｓｃｅｌｌのための第２のランク報告を受信するための手段と、ここにおいて、前記第２のランク報告が、前記Ｓｃｅｌｌの報告されたランクを含み、を備え、
ここにおいて、動的に構成するための前記手段は、前記Ｓｃｅｌｌのための前記報告されたランクが、前記ＵＥにおけるアンテナの前記数に等しいとき、ＣＡを非アクティブ化するための手段と、前記Ｓｃｅｌｌ上での多入力多出力（ＭＩＭＯ）動作のために、前記ＵＥを前記Ｓｃｅｌｌにハンドオーバするための手段とを備える、Ｃ１３に記載の装置。
［Ｃ１８］
前記Ｓｃｅｌｌの後で報告されたランクが、前記第２のランク報告中の前記Ｓｃｅｌｌの前記報告されたランクと比較して、より低い値に低下するとき、より低次のＭＩＭＯ動作のために前記ＵＥを構成するための手段と、ＣＡをアクティブ化するための手段とをさらに備える、Ｃ１７に記載の装置。
［Ｃ１９］
ＵＥカテゴリーおよび多入力多出力（ＭＩＭＯ）能力に少なくとも部分的に基づいて、前記受信機制限ＵＥを検出するための手段をさらに備える、Ｃ１３に記載の装置。
［Ｃ２０］
前記受信機制限ＵＥが、カテゴリー５またはより高いＵＥであり、各ＣＡ帯域統合について、最大２×２ＭＩＭＯサポートを報告する、Ｃ１９に記載の装置。
［Ｃ２１］
ワイヤレス通信ネットワークにおいて、１次セル（Ｐｃｅｌｌ）および２次セル（Ｓｃｅｌｌ）のためのランクを決定するための装置であって、前記装置が、
第１の時間間隔において、第１のアンテナセットを使用して、前記Ｐｃｅｌｌ中の基準信号をサンプリングし、第２のアンテナセットを使用して、前記Ｓｃｅｌｌ中の基準信号をサンプリングするための手段と、
第２の時間間隔において、前記サンプリングするステップを繰り返すための手段と、
それぞれ、前記Ｐｃｅｌｌおよび前記Ｓｃｅｌｌのためのランクを決定するために、前記第１の時間間隔および前記第２の時間間隔からの、前記サンプリングされた基準信号を統合するための手段と、
前記Ｐｃｅｌｌおよび前記Ｓｃｅｌｌの前記決定されたランクを、前記ネットワークに報告するための手段とを備える、装置。
［Ｃ２２］
前記装置が、キャリアアグリゲーション（ＣＡ）モードのユーザ機器（ＵＥ）である、Ｃ２１に記載の装置。
［Ｃ２３］
前記装置が、前記ネットワークによってスケジュールされる測定ギャップを有しないユーザ機器（ＵＥ）である、Ｃ２１に記載の装置。
［Ｃ２４］
前記第２の時間間隔において、前記サンプリングするステップを繰り返すための前記手段が、
前記第２のアンテナセットを使用して、前記Ｐｃｅｌｌ中の前記基準信号をサンプリングし、前記第１のアンテナセットを使用して、前記Ｓｃｅｌｌ中の前記基準信号をサンプリングするための手段を備える、Ｃ２１に記載の装置。
【外国語明細書】
2018137795000001.pdf